(57)【特許請求の範囲】
【請求項１】
地中に埋設されている既設管にワイヤを通しながら、このワイヤとともに移動することにより既設管を管軸方向に切り裂くカッタを備えた切断工具において、
筒状に形成され、テーパ状に形成された先端部を有する外套管を前記ワイヤに通して配置するとともに、この外套管は埋設されている既設管を内部に挿入可能な内径を有しており、既設管の切断を、前記外套管の内側で前記カッタによって行うことを特徴とする既設管の切断工具。
【請求項２】
前記カッタは外套管の内壁面に接合されていることを特徴とする既設管の切断工具。
【請求項３】
前記外套管はテーパ状に形成された先端部と、この先端部に着脱可能に設けられた筒状部とから構成されていることを特徴とする請求項１又は２に記載の既設管の切断工具。
【請求項４】
前記カッタの後部に、ワイヤの推進方向並びにその逆方向の両端部がテーパ状に形成されたガイド部材が取り付けられていることを特徴とする請求項１ないし３に記載の既設管の切断工具。
【請求項５】
前記外套管の後部に、前記カッタによって切断された既設管を内部に収める筒状の可撓性を有するスリーブを取り付け、既設管の切断後に、切断された既設管を前記スリーブとともに地中より撤去するようにしたことを特徴とする請求項１ないし４に記載の既設管の切断工具。
【請求項６】
既設管同士がジョイントを介して接続されている場合であって、埋設されている既設管に挿通されるワイヤに、前記ジョイントに係合する係合部材を設けてなることを特徴とする既設管の引き抜き工具。
【請求項７】
前記係合部材には、前記ジョイントと係合する爪部が設けられており、この係合部材は、ワイヤを既設管の引き抜き方向に牽引したときに、ワイヤに取り付け固定されている拡開部材のテーパ部が、係合部材の内側に嵌入することによって前記爪部を既設管の径方向に押し拡げるように構成されていることを特徴とする請求項６に記載の既設管の引き抜き工具。
【発明の詳細な説明】
【技術分野】
【０００１】
本発明は、地中に埋設されている水道の引き込み等を行うための既設管を、新管に更新する場合に好適に利用される既設管の切断工具、並びに既設管の引き抜き工具に関する。
【背景技術】
【０００２】
従来、地中に埋設されている給水引き込み用などの既設管の更新工事を行う場合は、本管や引き込み管が埋設されている道路を全面的に掘り下げるとともに、その布設経路に沿って開削作業を行い地中の本管並びに引き込み管（既設管）を露出させてから、この既設管を取り除き、新管の布設工事を行うのが最も一般的な工法である。しかしながら、既設管をその布設経路にそって全面的に掘り下げるのは、道路上で行う場合、交通を遮断する必要性や、道路の再舗装工事、埋め戻し工事などが必要となるなど、結果的に工事に要するコストの上昇を招くとともに、多大の時間を要するなど、デメリットも多い。また、既設管が舗装道路に埋設されている場合は、開削工事によって舗装廃材（産業廃棄物）が発生するとともに、その処分の為に環境破壊に結びつく恐れもある。
【０００３】
そこで、開削工事を最小限にする目的で、特開平11-2362号公報記載の管布設工法およびパイプスプリッタが提案されている。同公報記載のパイプスプリッタは、塩化ビニル管、ポリエチレン管などの既設管を長手方向に切断するカッタと、切断された既設管を径方向に押し拡げるエキスパンダとを備えている。このパイプスプリッタを使用する場合は、既設管の両端部を開削し、既設管の内部にパイプスプリッタを挿入し、ワイヤで推進させながら、前述のカッタで既設管を内側から長手方向（管軸方向）に切断し、切断された既設管をエキスパンダによって押し拡げながら、既設管の内側に新管を布設する。
【特許文献１】特開平11-2362号公報
【発明の開示】
【発明が解決しようとする課題】
【０００４】
しかしながら、前述の特開平11-2362号公報記載のパイプスプリッタは、ローラ刃からなるカッタが複数設けられており、このカッタによって既設管を長手方向に切断しながら布設経路に沿って推進させることにより工事を行う。その際、カッタは、既設管の表面から、その先端部分が飛び出た状態となり、既設管に近接して埋設されている他の埋設物、例えばガス管や、灯油の引き込み管、ロードヒーティングへの配線などをカッタによって傷つける虞があった。また、このパイプスプリッタを使用した管布設工法では、既設管を撤去することなく新管に取り替えるため、不要となった既設管が地中に残ってしまうという問題点がある。
【０００５】
本発明は、このような諸事情に対処するために提案されたものであって、既設管を、新管に更新する場合に、道路などの開削工事が必要最小限ですむとともに、既設管の周囲に埋設されている他の埋設物を傷つけることなく、既設管の撤去作業を行うことが可能な既設管の切断工具、並びに既設管の引き抜き工具を提供することを目的とするものである。
【課題を解決するための手段】
【０００６】
上記目的を達成するために、請求項１記載の発明は、地中に埋設されている既設管にワイヤを通しながら、このワイヤとともに移動することにより既設管を管軸方向に切り裂くカッタを備えた切断工具において、筒状に形成され、テーパ状に形成された先端部を有する外套管を前記ワイヤに通して配置するとともに、この外套管は埋設されている既設管を内部に挿入可能な内径を有しており、既設管の切断を、前記外套管の内側で前記カッタによって行うことを特徴とする。
【０００７】
請求項２記載の発明は、上記（１）項において、前記カッタは外套管の内壁面に接合されていることを特徴とする。
【０００８】
請求項３記載の発明は、請求項１又は２において、前記外套管はテーパ状に形成された先端部と、この先端部に着脱可能に設けられた筒状部とから構成されていることを特徴とする。
【０００９】
請求項４記載の発明は、請求項１ないし３において、前記カッタの後部に、ワイヤの推進方向並びにその逆方向の両端部がテーパ状に形成されたガイド部材が取り付けられていることを特徴とする。
【００１０】
請求項５記載の発明は、請求項１ないし４において、前記外套管の後部に、前記カッタによって切断された既設管を内部に収める筒状の可撓性を有するスリーブを取り付け、既設管の切断後に、切断された既設管を前記スリーブとともに地中より撤去するようにしたことを特徴とする。
【００１１】
請求項６記載の発明は、既設管同士がジョイントを介して接続されている場合であって、埋設されている既設管に挿通されるワイヤに、前記ジョイントに係合する係合部材を設けてなることを特徴とする。
【００１２】
請求項７記載の発明は、上記（６）項において、前記係合部材には、前記ジョイントと係合する爪部が設けられており、この係合部材は、ワイヤを既設管の引き抜き方向に牽引したときに、ワイヤに取り付け固定されている拡開部材のテーパ部が、係合部材の内側に嵌入することによって前記爪部を既設管の径方向に押し拡げるように構成されていることを特徴とする。
【発明の効果】
【００１３】
上述のように、請求項１記載の発明によれば、既設管の切断を外套管内に配置されているカッタで行うようにしているので、更新しようとしている既設管の周辺にある他の埋設物、例えばガス管や、灯油の引き込み管、ロードヒーティングの配線などをカッタで傷つけるのを防止することができる。
【００１４】
上述のように、請求項２記載の発明によれば、カッタを外套管の内壁面に溶接したことにより、既設管を切断する際にカッタのぶれ等、よけいな動きを防止することができ、既設管の切断時にカッタが欠けたりするのを未然に防ぐことができる。
【００１５】
上述のように、請求項３記載の発明によれば、外套管を先端部と、筒状部とに２分割して、ある程度の長さを確保しているため、既設管の切断時に外套管内への泥や土等の侵入を防止することができる。
【００１６】
上述のように、請求項４記載の発明によれば、カッタの後部にガイド部材を取り付けているので、ジョイントによって既設管同士が連結されている場合など、ワイヤを既設管の切断方向へ牽引することができなくなった場合等、ワイヤを逆方向に引き戻す必要が生じた際に、テーパ状のガイド部材によって、引き戻す際の土中における推進抵抗を減少させることができる。
【００１７】
上述のように、請求項５記載の発明によれば、外套管の後部に、切断された既設管を内部に収めるスリーブを取り付けているので、切断作業後、既設管はスリーブ内に収納された状態となる。そして、既設管を地中から撤去するときに、スリーブとともに引き抜くことで撤去の際の抵抗を減少させることができ、特に既設管が、鉛給水管のような柔軟で引張強度の低い材質の場合や、布設経路が屈曲しているような現場では特に有効である。
【００１８】
上述のように、請求項６又は７記載の発明によれば、既設管同士がジョイントによって連結されている場合には、切断工具による既設管の切断がジョイントに邪魔されて、できなくなる。そこで、既設管同士を連結しているジョイントに係合部材を係合させてワイヤによって牽引することにより、既設管を引き抜くことができる。また、牽引するにしたがって係合部材の爪部を径方向に押し拡げる拡開部材をワイヤに取り付けているので、ジョイントに対して係合部材を確実に係合させることがき、既設管の引き抜き作業をより確実に行うことができる。請求項６又は７記載の引き抜き工具によって、既設管を撤去する場合は、ジョイントに対し、既設管の両方向から、前述した請求項１ないし５記載の切断工具によって既設管を予め切断しておけば、撤去時の引き抜き抵抗を低減することができるので、より効果的に引き抜き作業を行うことができる。
【発明を実施するための最良の形態】
【００１９】
以下、本発明に係る既設管の切断工具、並びに既設管の引き抜き工具の好適な実施例を、添付図面を参照して説明する。
【００２０】
図１は本発明に係る切断工具を使用して、給水用に引き込まれている既設管を新管に更新する場合の作業状況を示す説明図、図２は第１の実施例に係る切断工具を示す断面図、図３乃至図６は本実施例の切断工具の構成部材を示した図である。
【００２１】
図１に示されるように、給水本管１０から道路を横断して家屋などに引き込まれている給水用の既設管１２を新管に取り替える場合、まず、給水本管１０と既設管１２との分岐側及び、水道のメーター側の部分に立て抗を掘削し、既設管１２の両端部を露出させる。次いで、既設管１２と給水本管１０とを切り離すとともに、メーターを取り外した状態とする。そして、分岐側にワイヤの巻き取りを行うウインチ１４を設置し、メーター側から既設管１２の内部にワイヤ１６を挿入し、ワイヤ１６の先端部をウインチ１４に固定する。次に、メーター側のワイヤ１６に、切断工具２０をワイヤに通して固定した後、ワイヤ１６をウインチ１４によって巻き上げることにより、既設管１２の布設経路に沿って切断工具２０を推進させながら既設管１２を管軸方向に切断する。なお、ウインチ１４の設置位置は、メーター側及び分岐側のいずれでもよく、現場の状況に応じて適宜選択すればよい。ここで、切断工具２０の構成は以下の通りである。
【実施例１】
【００２２】
（１）切断工具の第１の実施例
図２に示されるように、切断工具２０は、主として外套管２２と、カッタ２４とから構成されており、図３及び図４に示されるように、外套管２２は、先端部２２Ａ及び筒状部２２Ｂとを有している。先端部２２Ａは、その前部がテーパ状に形成され、切断工具２０をワイヤ１６によって牽引する際に、地中における抵抗を減少させる働きがある。先端部２２Ａの後端には、ねじ部２１が形成され、筒状部２２Ｂ先端のねじ部２３と螺合されて、両者は一体化されている。外套管２２の内側には、ワイヤ１６が挿通されているとともに、このワイヤ１６にはカッタ２４が、固定された状態で内装されている。先端部２２Ａの内径Ｄは、既設管１２の外径Ｄ１（図７参照）に対して、３ｍｍ前後、広めに形成されており、既設管１２を、外套管２２の内部へ挿入しやすいようになっている。
【００２３】
図５及び図６に示されるように、カッタ２４は、固定具２６を有し、この固定具２６にはワイヤ１６を通した状態で固定するために、軸方向に取付孔２６Ａが設けられている。カッタ２４は、ワイヤ１６を取付孔２６Ａに通した後、軸方向と垂直な方向から図示しない止めねじによって固定具２６をワイヤ１６に押し付けることにより、カッタ２４をワイヤ１６に取り付け固定する。図６に示されるように、カッタ２４は正面方向から見て１２０°の間隔で固定具２６の外周部に、その下端面が溶接などによって取り付けられており、合計３つのカッタ刃２４Ａが外套管２２に内挿されている。カッタ２４には、既設管１２を管軸方向に切断する刃部２４Ｂが設けられている。
【００２４】
図２及び図３に示されるように、外套管２２の先端部２２Ａの内周部には、刃部２４Ｂの先端と当接する段部２５が形成され、ワイヤ１６の巻上げ時に、カッタ２４が外套管２２から抜け出るのを防止するようになっている。一方、筒状部２２Ｂは、先端部２２Ａに螺合して固定されたときに、先端部２２Ａの内側に入り込んだ状態で取り付けられるので、ワイヤ１６を逆方向に巻き上げた場合でも、筒状部２２Ｂの前端部２７がストッパとして機能するため、カッタ２４は常に外套管２２の内部に留まるようになっている。
【００２５】
次に、切断工具２０を使用して、既設管１２の切断作業を行う場合の作用について説明する。
まず、図１に示されるように、既設管１２の分岐側及びメータ側の両端部を露出させ、既設管１２と給水本管１０とを切り離す。そして、分岐側にウインチ１４を設置し、メーター側から既設管１２の内部にワイヤ１６を挿入し、ワイヤ１６の先端部をウインチ１４に固定する。次に、メーター側のワイヤ１６に、切断工具２０をくぐらせ、ワイヤ１６をウインチ１４によって、徐々に巻き上げながら、外套管２２の内部に既設管１２を挿入し、布設経路に沿って切断工具２０を矢印Ａ方向に推進させる。
【００２６】
この場合、図７に示されるように、ワイヤ１６を巻き上げて切断工具２０を矢印Ａ方向に推進させると、外套管２２の内部に入り込んだ既設管１２は、カッタ刃２４Ａによって、その管軸方向に３分割に切断されていく。この際、既設管１２の切断作業は外套管２２の内部において行われ、カッタ２４は外套管２２の外側に露出することがないため、既設管１２の布設経路の近くに埋設されている例えばガス管、灯油の給油管、ロードヒーティングの配線、給湯管などをカッタ２４によって傷つけてしまうと言った事態を防ぐことができる。切断された既設管１２は、地中より引き抜かれた後、新管と更新される。
【実施例２】
【００２７】
（２）切断工具の第２の実施例
次に、本発明に係る切断工具の第２の実施例について説明する。なお、前述の第１の実施例と同一の部材については同一の符号を付し、説明を省略する。
図８〜図１０は、第２の実施例の切断工具を示した図である。本実施例の切断工具３０は、カッタ３２が外套管３４の内壁面３４Ａに接合されている点が前述した第１の実施例の切断工具２０と異なっている。即ち、図８及び図９に示されるように、切断工具３０ではカッタ３２の管軸方向に沿う側端部３２Ａが、外套管３４の内壁面３４Ａに溶接され、外套管３４に３個のカッタ３２がそれぞれ完全に固定された構成となっている。そして、カッタ３２の中心にワイヤ１６が通る取付孔３２Ｂが設けられており、この取付孔３２Ｂにワイヤ１６を通した後、カッタ３２の前端部３２Ｃ及び後端部３２Ｄに対して押さえ金具３６をワイヤ１６に取り付けることにより、切断工具３０の前後の動きを防止するようになっている。
【００２８】
第２の実施例の切断工具３０によれば、前述した第１の実施例と比較して構造が簡単化されており、既設管１２の切断時にカッタ３２がぶれたりするなどの余計な動きを防ぐことができるので、カッタ３２の耐久性が高まる利点がある。図１０は、切断工具３０によって既設管１２を切断している状態を示した説明図であるが、同図に示されるように、外套管３４の内側に、ポリエチレン管、塩化ビニル管等の既設管１２を挿入し、ワイヤ１６をウインチで巻上げることにより、内挿されているカッタ３２によって、既設管１２を外套管２２内で管軸方向に３分割していく。切断された既設管１２は、地中より引き抜かれた後、新管と更新される。
【００２９】
なお、前述した第１及び第２の実施例では、カッタ刃を外套管２２，３４の内部に、１２０°間隔で３個、設けているが、その数は幾つでもよい。
【００３０】
図１１は、切断工具３０の後部に、ガイド部材３８が取り付けられた変形例であるが、このガイド部材３８は、ワイヤ１６の推進方向並びにその逆方向の端部が、それぞれテーパ状に形成されている。ガイド部材１６は、例えば、既設管１２内部を切断工具３０が移動した際に、既設管がジョイント（継ぎ手）によって連結されている場合には、カッタがジョイントに妨げられて切断工具３０による切断ができなくなる。この場合、ワイヤ１６を逆方向に引き戻す必要が生じる。そのときに、ガイド部材３８の端部がテーパ状に形成されていることから引き戻す際の土の中における推進抵抗が軽減され、スムーズに切断工具３０を逆方向に引き戻して、回収することができる。
【実施例３】
【００３１】
（３）切断工具の第３の実施例
次に、本発明に係る切断工具の第３の実施例について説明する。なお、前述した第１の実施例と同一の部材については同一の符号を付し、その説明を省略する。
図１２に示される第３の実施例では、切断工具２０の外套管２２の筒状部２２Ｂの後端部にスリーブ２８を取り付けている点が相違する。スリーブ２８は、筒状に形成され、且つ可撓性を有し、土や既設管との摩擦抵抗の少ない材質からなり、例えばアルミ複合フィルムなどが適している。また、スリーブ２８は、その全長が既設管１２の布設長よりも若干長めにしておくことが必要である。このスリーブ２８の外周部は、筒状部２２Ｂに対し、図示しない固定ねじ等によって複数箇所で固定され、ワイヤ１６がスリーブ２８の内側となるように配置され、既設管１２の切断時に生じる地中との推進抵抗によっても離脱することなく外套管２２に追従しながら推進するようになっている。
【００３２】
スリーブ２８には、既設管１２を切断するにしたがって、その内部に切断済みの既設管１２が包み込むようにして収容されていく。切断作業の終了後、既設管１２は、スリーブ２８の内側に収容されているので、既設管１２を地中から撤去するには、スリーブ２８ごと地中から引き抜けばよい。この際、スリーブ２８は可撓性を有するので、既設管１２の布設経路が屈曲している場合や、既設管１２が鉛給水管のような柔軟で、引張強度が低い材質の配管の場合に有効である。即ち、既設管１２は、３本に切断され、且つ拡径されているため、スリーブ２８によって管全体を包みこんだ状態で、スリーブごと引き抜くことによって既設管１２を撤去することになるので、引き抜き時の摩擦抵抗が少なくてすむとともに、既設管１２が途中で切断することもない。
【実施例４】
【００３３】
（４）引き抜き工具の実施例
次に、既設管の引き抜き工具について、図１３〜図１７を参照して説明する。前述したように、既設管（例えば、ポリエチレン管）同士が金属製のジョイント（例えば、冷間継ぎ手）を介して連結されている場合には、ジョイントに邪魔されて切断工具２０,３０による既設管の切断を中止せざるを得ないが、この場合は、図１３に示される引き抜き工具４０を使用して既設管の引き抜きを行う。
【００３４】
図１３に示されるように、引き抜き工具４０は、管状の係合部材４２と、拡開部材４４とを備え、これらの各部材はワイヤ４６に挿通されて、ワイヤ４６とともに移動することができるようになっている。図１４に示されるように、係合部材４２は、管４２Ａの管軸方向に沿うように形成された切り欠き部４２Ｂと、合計４個の鋭角形状の爪部４２Ｃが溶接によって管４２Ａに取り付けられている。係合部材４２の前方側には、ストッパ４３がワイヤ４６に取り付けられ、ワイヤ４６を既設管の引き抜き方向（図１３中、Ｂ方向）に牽引した場合、係合部材４２がワイヤ４６上を無制限に移動することを規制するようになっている。
【００３５】
また、拡開部材４４は、係合部材４２に対して、後方側に取り付けられ、固定ねじ４５によってワイヤ４６にずれない状態で固定されている。拡開部材４４は、図１５に示されるように、テーパ部４４Ａが、その先端部分に形成され、このテーパ部４４Ａが係合部材４２の内側に嵌入することによって、爪部４２Ｃを径方向に押し拡げるようになっている。
【００３６】
図１６及び図１７は、引き抜き工具４０の使用時の動作を示している。
図１６に示されるように、既設管４８はジョイント５０及びコア５０Ａを介して図中右方向にある図示しない既設管と連結されている場合を想定すると、前述した切断工具２０または３０によってはジョイント５０があるために、既設管４８の管軸方向への切断はできなくなる。この場合は、切断工具２０または３０を回収した後、本実施例の引き抜き工具４０を利用して既設管４８の撤去を試みる。その際、図１６に示すように、引き抜き工具４０を既設管４８に対して矢印Ｃ方向へワイヤ４６とともに、既設管４８内に挿入していく。すると、係合部材４２の爪部４２Ｃは、ジョイント５０のコア５０Ａの縁部に突き当たり、係合部材４２は既設管４８に対して相対的に移動することができなくなる。そして、図１７に示されるように（図１７には説明の便宜上、コア５０Ａと爪部４２Ｃとが突き当たらない状態で記載）、ワイヤ４６をＣ方向に推進していくに従って、拡開部材４４のテーパ部４４Ａが、係合部材４２の内側に嵌まり込んでいく。その結果、テーパ部４４Ａが、４個の爪部４２Ｃを既設管の径方向に押し拡げ、ジョイント５０のコア５０Ａに対し爪部４２Ｃを完全に係合させる。この状態でワイヤ４６をさらに巻き上げれば、係合部材４２がコア５０Ａと完全に係合し、外れない状態になっていることから、既設管４８を地中からワイヤ４６の牽引力によって引き抜くことができる。
【００３７】
なお、引き抜き工具４０では、係合部材４２の爪部４２Ｃを４個、設けているが、既設管４８同士を連結しているジョイント５０に対して確実に係合できれば、その数はいくつでもよい。
【００３８】
図１８は、係合部材の変形例を示している。前述した係合部材４２の爪部４２Ｃが溶接によって管４２Ａに接合されているのに対し、係合部材５２では、１つの管状の部材を削り出すことによって、鋭角状、且つ正面から見て扇形の爪部５２Ｃを管５２Ａに４個形成している。また、爪部５２Ｃから管５２Ａの途中にかけて、連続する切り欠き部５２Ｂが４個、形成されており、これらの切り欠き部５２Ｂは、拡開部材４４のテーパ部４４Ａによる爪部５２Ｃを径方向へ押し拡げる動作を可能にしている。係合部材５２の爪部５２Ｃは、前述の係合部材４２の爪部４２Ｃよりもコア５０Ａに対する係合時の接触面積が大きくなるため、既設管１２の引き抜き作業において、強固な引き抜き力を必要とする作業の場合に有効である。係合部材４２及び５２のうち、いずれを使用するかは、既設管の布設状況、布設距離に応じて、最適なものを選択すればよい。
【００３９】
以上説明したように、既設管の切断工具２０，３０では、既設管の切断作業を外套管内で行うようにしているので、既設管周辺にある他の埋設物を傷つけることなく切断作業を行うことができる。
また、既設管の引き抜き工具４０では、既設管同士がジョイントを介して接合されている場合に、そのジョイントを利用して既設管を引き抜くようにしているので、既設管の撤去作業を迅速に行うことができ、非開削で新管への更新工事を行うことができる。
【産業上の利用可能性】
【００４０】
以上説明したように、本発明のうち、既設管の切断工具によれば、既設管の切断作業を外套管内部で行うようにしているので、既設管周辺の他の埋設物を傷つけることなく、切断作業を行うことができる。
【００４１】
また、既設管の引き抜き工具によれば、既設管同士がジョイントを介して連結されている場合に、そのジョイントを利用して既設管を引き抜くことができるので、新管への更新作業の際に、開削作業を必要最小限ですますことができ、その結果、工事に要するコストの低減、並びに工事時間の短縮を図ることが可能となる。
【図面の簡単な説明】
【００４２】
【図１】本発明に係る切断工具を使用して、給水用に引き込まれている既設管を新管に更新する場合の作業状況を示した説明図である。
【図２】第１の実施例に係る切断工具の断面図である。
【図３】同じく、第１の実施例に係る切断工具の構成部材である外套管の先端部の断面図である。
【図４】同じく、第１の実施例に係る切断工具の構成部材である外套管の筒状部の断面図である。
【図５】同じく、第１の実施例に係る切断工具の構成部材であるカッタの側断面図である。
【図６】同じく、第１の実施例に係る切断工具の構成部材であるカッタの正面図である。
【図７】同じく、第１の実施例に係る切断工具を使用して、既設管の切断を行う場合を示した断面図である。
【図８】第２の実施例に係る切断工具の側面図である。
【図９】同じく、第２の実施例に係る切断工具を示しており、図８のXI-XI線に沿った矢視図である。
【図１０】同じく、第２の実施例に係る切断工具を使用して、既設管の切断を行う際の状況を示した説明図である。
【図１１】同じく、第２の実施例に係る切断工具の変形例を示した側断面図である。
【図１２】第３の実施例に係る切断工具を示した側断面図である。
【図１３】一実施例に係る引き抜き工具の構成を示した概略斜視図である。
【図１４】同じく、一実施例に係る引き抜き工具の構成部材である係合部材の側面図及び正面図である。
【図１５】同じく、一実施例に係る引き抜き工具の構成部材である拡開部材の側面図である。
【図１６】同じく、一実施例に係る引き抜き工具の使用状況を示した説明図である。
【図１７】同じく、一実施例に係る引き抜く工具の使用状況を示した説明図である。
【図１８】係合部材の変形例の側面図及び正面図である。
【符号の説明】
【００４３】
１０  給水本管
１２  既設管
１４  ウインチ
１６  ワイヤ
２０  切断工具
２２  外套管
２２Ａ  先端部
２２Ｂ  筒状部
２４  カッタ
２５  段部
２６  固定具
２８  スリーブ
３０  切断工具
３２  カッタ
３４  外套管
３４Ａ  内壁面
３６  押さえ金具
３８  ガイド部材
４０  引き抜き工具
４２  ５２  係合部材
４２Ｃ  爪部
４３  ストッパ
４４  拡開部材
４５  固定ねじ
４６  ワイヤ
４８  既設管
５０  ジョイント
５０Ａ  コア
【図１】
0003666815.tif 000002
【図２】
0003666815.tif 000003
【図３】
0003666815.tif 000004
【図４】
0003666815.tif 000005
【図５】
0003666815.tif 000006
【図６】
0003666815.tif 000007
【図７】
0003666815.tif 000008
【図８】
0003666815.tif 000009
【図９】
0003666815.tif 000010
【図１０】
0003666815.tif 000011
【図１１】
0003666815.tif 000012
【図１２】
0003666815.tif 000013
【図１３】
0003666815.tif 000014
【図１４】
0003666815.tif 000015
【図１５】
0003666815.tif 000016
【図１６】
0003666815.tif 000017
【図１７】
0003666815.tif 000018
【図１８】
0003666815.tif 000019